(57)【要約】【課題】径の異なる複数種類のポールおよび照明器具に対応可能なポールアダプタを提供する。【解決手段】ポールアダプタ２は、地面に立てられているポール１の上端に取り付けられた状態で、照明器具３を取り付けて、ポール１と照明器具３とを接続する。また、ポールアダプタ２は、互いの外径および内径の寸法が異なる複数の筒体２１〜９１を有するアダプタ本体２０を備えている。アダプタ本体２０は、筒体２１〜９１の軸方向に沿って外径および内径の寸法が大きい順に並べられて連結された複数の筒体２１〜９１で構成されている。また、アダプタ本体２０は、隣り合う前記筒体２１〜９１同士の境目で分割可能に形成されている。よって、ポールアダプタ２は、径の異なる複数種類のポール１および照明器具３に対応可能である。【選択図】図２
2017107723.tif 000002
【特許請求の範囲】
【請求項１】
地面に立てられているポールの上端に取り付けられた状態で、照明器具を取り付けて、前記ポールと前記照明器具とを接続するポールアダプタであって、互いの外径および内径の寸法が異なる複数の筒体を有するアダプタ本体を備え、前記アダプタ本体は、前記筒体の軸方向に沿って外径および内径の寸法が大きい順に並べられて連結された前記複数の筒体で構成されており、隣り合う前記筒体同士の境目で分割可能に形成されていることを特徴とするポールアダプタ。
【請求項２】
前記ポールの上端と前記アダプタ本体との間に配置され、かつ、弾性部材で形成された結合具を備え、
前記結合具は、前記ポールの軸方向から見て略Ｃ字形状に形成されているとともに、前記ポールの径方向から見て台形状に形成されており、また、前記結合具は、前記ポールの径方向において、外周面の幅寸法の最小値が、前記複数の筒体のうちで前記ポールと接続される第１の筒体の内径の寸法よりも小さく、かつ、前記外周面の幅寸法の最大値が、前記第１の筒体の内径の寸法よりも大きくなるように構成されており、さらに、前記結合具は、前記ポールの径方向において、内周面の幅寸法の最小値が、前記ポールの上端の外径よりも小さく、かつ、前記内周面の幅寸法の最大値が、前記ポールの上端の外径よりも大きくなるように構成されていることを特徴とする請求項１に記載のポールアダプタ。
【発明の詳細な説明】
【技術分野】
【０００１】
本発明は、道路灯等の照明器具をポールに取り付けるためのポールアダプタに関する。
【背景技術】
【０００２】
従来、天井における照明器具取付孔の大きさに応じて、照明器具の取付部の位置を変化させて、照明器具を簡単に取り付けでき、コストダウンできる照明器具取付装置が提案されている。例えば、特許文献１には、照明器具を天井に着脱可能に取り付けるために、照明器具を保持するリニューアルプレートと、天井の周壁部に係止される係止部を有する着脱治具と、を備える照明器具取付装置が記載されている。特許文献１記載の照明器具取付装置では、照明器具取付孔の大きさが変わった場合でも、着脱治具の照明器具取付孔における直径線方向の位置が調整可能であり、周壁部に係止部を係止させて、リニューアルプレートを照明器具取付孔に簡単に取り付けできる。
【先行技術文献】
【特許文献】
【０００３】
【特許文献１】特開２０１２−１９５１４６号公報
【発明の概要】
【発明が解決しようとする課題】
【０００４】
道路灯等の照明器具をポールに取り付けるためのポールアダプタにおいても、径の異なる複数種類のポールおよび照明器具に対応可能なポールアダプタが必要とされている。
【０００５】
本発明は上記課題に鑑みてなされており、径の異なる複数種類のポールおよび照明器具に対応可能なポールアダプタを提供することを目的とする。
【課題を解決するための手段】
【０００６】
本発明のポールアダプタは、地面に立てられているポールの上端に取り付けられた状態で、照明器具を取り付けて、前記ポールと前記照明器具とを接続するポールアダプタであって、互いの外径および内径の寸法が異なる複数の筒体を有するアダプタ本体を備え、前記アダプタ本体は、前記筒体の軸方向に沿って外径および内径の寸法が大きい順に並べられて連結された前記複数の筒体で構成されており、隣り合う前記筒体同士の境目で分割可能に形成されていることを特徴とする。
【発明の効果】
【０００７】
本発明によれば、径の異なる複数種類のポールおよび照明器具に対応可能なポールアダプタを提供することができる。
【図面の簡単な説明】
【０００８】
【図１】本発明の実施形態１に係るポールアダプタを示し、図１Ａはアダプタ本体の外観斜視図であり、図１Ｂはアダプタ本体の一部を破断した部分断面図である。
【図２】図２Ａは本発明の実施形態１に係るポールアダプタのアダプタ本体の説明図、図２Ｂは切断されたアダプタ本体の説明図、図２Ｃはポールの上端にアダプタ本体が取り付けられた状態の説明図である。また、図２Ｄはアダプタ本体の上端に照明器具が取り付けられた状態の説明図である。
【図３】図３Ａは本発明の実施形態１に係るポールアダプタの変形例１の正面図、図３Ｂは本発明の実施形態１に係るポールアダプタの変形例２の正面図である。
【図４】本発明の実施形態２に係るポールアダプタの結合具の外観斜視図である。
【図５】図５Ａは本発明の実施形態２に係るポールアダプタのアダプタ本体の正面図、図５Ｂは切断されたアダプタ本体の説明図、図５Ｃは結合具を介してポールの上端にアダプタ本体が取り付けられる前の説明図である。また、図５Ｄは結合具を介してポールの上端にポールアダプタ本体が取り付けられた状態の説明図である。
【図６】図６Ａは比較例のポールアダプタの正面図、図６Ｂはポールの上端に比較例のポールアダプタが取り付けられた状態の正面図、図６Ｃは比較例のポールアダプタの上端に照明器具が取り付けられた状態の正面図である。
【発明を実施するための形態】
【０００９】
以下、本発明の実施形態に係るポールアダプタについて、図面を参照して詳細に説明する。なお、以下の実施形態で説明する構成は本発明の一例に過ぎない。本発明は、以下の実施形態に限定されず、本発明に係る技術思想を逸脱しない範囲であれば、設計等に応じて種々の変更が可能である。また、以下の説明では特に断りがない限り、図２Ａに示す向きにおいて上下左右の方向を規定して説明を行う。
【００１０】
実施形態１に係るポールアダプタ２は、図２Ｄに示すように例えば地面から立設されたポール１に照明器具３を取り付けるために用いられる。また、ポールアダプタ２によりポール１に取り付けられた照明器具３は、ポール１周辺の地面を照らす街路灯や公園灯、道路灯として用いられる。
【００１１】
ポール１は、円筒状の鋼管からなるポール本体１１を有し、ポール本体１１の上端には、ポール本体１１よりも外径および内径が小さい円筒状のポール小径部１２が一体に設けられている。ポール小径部１２の外周面には、上下方向中央の位置に、螺子穴１３が形成されている。
【００１２】
ポールアダプタ２は、図１に示すようにポール１のポール小径部１２に取り付けられる筒状のアダプタ本体２０を有する。アダプタ本体２０は、ステンレス鋼で構成されていることが好ましい。ポールアダプタ２では、アダプタ本体２０の構成材料としてステンレス鋼を例示したが、これに限定されず、例えばアダプタ本体２０の構成材料としてアルミニウムや、鋼材、樹脂を用いてもよい。
【００１３】
アダプタ本体２０は、図１に示すように筒状（例えば円筒状）の筒体２１、筒体３１、筒体４１、筒体５１、筒体６１、筒体７１、筒体８１および筒体９１を有する。ポールアダプタ２では、８個の筒体２１〜９１によりアダプタ本体２０が構成されているが、これに限定されず、例えば２個以上７個以下あるいは９個以上の筒体によりアダプタ本体２０が構成されていてもよい。
【００１４】
各筒体２１〜９１は、外径および内径の寸法が、互いに異なるように構成されている。また、各筒体２１〜９１は、外径の寸法と内径の寸法との差が同じ寸法になるように構成されている。すなわち、各筒体２１〜９１は同じ肉厚となるように構成されている。なお、各筒体２１〜９１は、同じ肉厚で構成されていることが好ましいが、同じ肉厚で構成されなくてもよい。
【００１５】
また、各筒体２１〜９１は、図１に示すように上下方向に沿って、下から上に行くに連れて、外径および内径の寸法が小さい順に並べられて配置されている。すなわち、下から上に向けて、筒体２１〜９１は、筒体２１、筒体３１、筒体４１、筒体５１、筒体６１、筒体７１、筒体８１および筒体９１の順で並べられて配置されている。なお、上下方向に隣り合う筒体２１〜９１では、下側に配置された筒体２１〜８１の内径の寸法の値から、上側に配置された筒体３１〜９１の内径の寸法を引いた差の値は、すべて同じ値になっている。また、下側に配置された筒体２１〜８１の外径の寸法の値から、上側に配置された筒体３１〜９１の外径の寸法を引いた差の値も、すべて同じ値になっている。
【００１６】
なお、上下方向に隣り合う筒体２１〜９１において、下側に配置された筒体２１〜８１の内径の寸法の値から、上側に配置された筒体３１〜９１の内径の寸法を引いた差の値は、同じ値にならなくてもよい。また、下側に配置された筒体２１〜８１の外径の寸法から、上側に配置された筒体３１〜９１の外径の寸法を引いた差の値も、同じ値にならなくてもよい。
【００１７】
筒体２１は、円筒状の外壁部２２を有する。また、外壁部２２の上下方向の寸法は、ポール小径部１２の軸方向の寸法よりも大きい。外壁部２２の側面には、螺子穴１３に対応して、円形孔状の固定孔２３が形成されている。外壁部２２の上端には、円環状の頂壁部２５が一体に設けられている。頂壁部２５には、頂壁部２５の径方向中央の位置に、円形孔状の貫通孔２６が形成されている。貫通孔２６は、筒体２１の上方に配置された筒体３１の内径の寸法と同じ大きさになるように形成されている。
【００１８】
また、アダプタ本体２０は、円筒状の連結体２０１を有する。連結体２０１は、筒体２１と筒体３１との間に配置されている。また、連結体２０１は、頂壁部２５の上面に、貫通孔２６の周縁に沿って一体に形成されている。連結体２０１の内径の寸法は、貫通孔２６の寸法と同じ大きさである。また、連結体２０１の外径の寸法は、外壁部２２の外径の寸法よりも小さい。
【００１９】
各筒体３１〜９１は、筒体２１と同様に、外壁部３２、外壁部４２、外壁部５２、外壁部６２、外壁部７２、外壁部８２および外壁部９２を有する。各外壁部３２〜９２には、外壁部２２と同様に、螺子穴１３に対応して、固定孔３３、固定孔４３、固定孔５３、固定孔６３、固定孔７３、固定孔８３および固定孔９３が形成されている。なお、アダプタ本体２０は、各外壁部２２〜９２に複数の固定孔２３〜９３が形成されてもよい。また、各筒体３１〜９１は、筒体２１と同様に、頂壁部３５、頂壁部４５、頂壁部５５、頂壁部６５、頂壁部７５、頂壁部８５および頂壁部９５を有する。
【００２０】
各頂壁部３５〜９５には、貫通孔２６と同様に、円形孔状の貫通孔３６、貫通孔４６、貫通孔５６、貫通孔６６、貫通孔７６、貫通孔８６および貫通孔９６が形成されている。貫通孔３６〜８６は、各貫通孔３６〜８６の上方に配置された各筒体４１〜９１の内径の寸法と同じ大きさになるように形成されている。また、貫通孔９６は、筒体９１の内径の寸法と同じ大きさになるように形成されている。
【００２１】
また、アダプタ本体２０は、連結体２０１と同様に、図１に示すように筒状（例えば円筒状）の連結体２０２、連結体２０３、連結体２０４、連結体２０５、連結体２０６および連結体２０７を有する。各連結体２０２〜２０７は、筒体３１と筒体４１との間、筒体４１と筒体５１との間、筒体５１と筒体６１との間、筒体６１と筒体７１との間、筒体７１と筒体８１との間および筒体８１と筒体９１との間に、それぞれ配置されている。各連結体２０２〜２０７の内径の寸法は、上側に配置された筒体４１〜９１の内径の寸法および下側に配置された各筒体３１〜８１の各貫通孔３６〜８６と同じ大きさである。また、各連結体２０２〜２０７の外径の寸法は、上側に配置された筒体４１〜９１の外径の寸法よりも小さい。すなわち、各連結体２０１〜２０７の肉厚は、各外壁部２２〜９２の肉厚よりも、薄くなるように構成されている。
【００２２】
また、各連結体２０１〜２０７の下端は、下側に配置された各筒体２１〜８１の各頂壁部２５〜８５の上面の各貫通孔２６〜８６の周縁に沿って溶接されている。また、各連結体２０１〜２０７の上端は、上側に配置された筒体３１〜９１の各外壁部３２〜９２の下端に溶接されている。したがって、各連結体２０１〜２０７を介して、８個の筒体２１〜９１は、連続して一体に連結されており、一体に連結された筒体２１〜９１および連結体２０１〜２０７によりアダプタ本体２０が構成されている。なお、アダプタ本体２０は、連結体２０１〜２０７の上端の外周面に雄螺子を螺子切りし、雌螺子を各外壁部３２〜９２の下端の内周面に螺子切りして、雄螺子に雌螺子をねじ込ませて、各連結体２０１〜２０７を介して各筒体２１〜９１同士を連結させてもよい。アダプタ本体２０は、各連結体２０１〜２０７を介して、各筒体２１〜９１が一体に連結されて設けられることが好ましいが、連結体２０１〜２０７を介さずに、各筒体２１〜９１が直接連結されてもよい。また、アダプタ本体２０は、金属材料を用いた鋳造等で各筒体２１〜９１が一体に形成されてもよい。
【００２３】
次に、ポールアダプタ２を介して、ポール１と照明器具３とを接続する手順について説明する。なお、照明器具３は、図２Ｄに示すようにお椀状の器具本体１２９を備える。器具本体１２９は、金属材料（例えばアルミニウム、アルミニウム合金、ステンレス等）により形成されている。器具本体１２９の上面には、光源部が取り付けられており、光源部を覆うようにして中空の略球形状のグローブ１３０が取り付けられている。器具本体１２９の下端には、ポールアダプタ２に固定される筒状（例えば円筒状）の固定部１３１が取り付けられている。固定部１３１の側面には、螺子孔１３２が形成されている。
【００２４】
まず、最初に、作業者は、照明器具３の固定部１３１の内径の寸法と、ポール１のポール小径部１２の外形の寸法とを測定する。続けて、作業者は、ポールアダプタ２の筒体２１〜９１の中から、外径の寸法が固定部１３１の内径の寸法よりも小さい筒体６１〜９１のうち最大の筒体６１を選択する。そして、作業者は、図２Ｂに示すようにのこぎり１５０等を用いて、アダプタ本体２０を連結体２０５に沿って切断して、アダプタ本体２０から筒体６１よりも上側の３個の筒体７１〜９１を取り除く。
【００２５】
また、作業者は、アダプタ本体２０の筒体２１〜６１の中から、内径の寸法がポール小径部１２の外径の寸法よりも大きい筒体２１〜４１のうち最小の筒体４１を選択する。そして、作業者は、図２Ｂに示すようにのこぎり１５０等を用いてアダプタ本体２０を連結体２０２に沿って切断して、アダプタ本体２０から筒体４１よりも下側の２個の筒体２１，３１を取り除く。そして、作業者は、防水用のゴム栓１６０を、固定孔４３以外の固定孔５３，６３に詰め込む。
【００２６】
次に、作業者は、図２Ｃに示すようにポール小径部１２に、筒体４１を差し込んだ後に、螺子穴１３と固定孔４３との位置を合わせる。そして、作業者は、固定孔４３に挿通させた螺子１４１を螺子穴１３にねじ込むことで、ポール小径部１２と筒体４１とを固定して、ポールアダプタ２をポール１に取り付ける。
【００２７】
次に、作業者は、図２Ｄに示すように筒体６１に、固定部１３１を差し込んだ後に、螺子孔１３２にねじ込んだ螺子１４２を筒体６１の外壁部６２の外周面に当接させる。よって照明器具３がポールアダプタ２に取り付けられて、ポールアダプタ２を介するポール１と照明器具３との接続が完了する。
【００２８】
ところで、ポール１と照明器具３とを接続する施工の作業前に、既存のポール１のポール小径部１２の外径の寸法と、照明器具３の固定部１３１の内径の寸法とが判明している場合がある。この場合、内径の寸法がポール小径部１２の外径の寸法よりも僅かに大きい大径筒部７０３と、外径の寸法が固定部１３１の内径の寸法よりも僅かに小さい小径筒部７０４とを組み合わせたポールアダプタ７０２（以下、比較例という）を製造することができる。作業者は、製造された比較例のポールアダプタ７０２を施工の現場に持って行き、ポール小径部１２に大径筒部７０３を差し込むとともに、小径筒部７０４に固定部１３１を差し込むことで、ポール１と照明器具３とを接続することができる。
【００２９】
しかし、ポール小径部１２の外径の寸法と固定部１３１の内径の寸法とが判明していない場合、ポール小径部１２の外径を計測した後でなければ、比較例のポールアダプタ７０２を製造することができない。よって、ポール小径部１２の外径の寸法の計測後に、比較例のポールアダプタ７０２を製造してから施工の現場に届けられるまでの工程も施工の作業工程に含まれてしまうため、施工に要する手間や時間が余分にかかってしまうという問題があった。
【００３０】
これに対して、ポールアダプタ２では、アダプタ本体２０は、内径の寸法および外径の寸法が異なる筒体２１〜９１で形成されている。また、ポールアダプタ２では、隣り合う各筒体３１〜９１は、各外壁部２２〜９２の肉厚よりも、薄い肉厚の連結体２０１〜２０７を介して連結されている。したがって、アダプタ本体２０が切断される際に、筒体２１〜９１の外周面よりも、各連結体２０１〜２０７に沿った方が切断し易い。よって、作業者は、施工の現場で、連結体２０１〜２０７に沿ってアダプタ本体２０を切断し、筒体２１〜９１の中からポール小径部１２および固定部１３１との接続に必要のない筒体を除去することができる。したがって、施工の現場において、１種類のアダプタ本体２０で、外径の寸法が異なる複数種類のポール小径部１２と、内径の寸法が異なる複数種類の固定部１３１とを接続することができる。よって、ポール小径部１２の外径の寸法を計測した後にポールアダプタ２を製造する必要が無く、作業工程からポールアダプタ２を発注してから届けられるまでの工程を省くことができる。したがって、比較例のポールアダプタ７０２に比べて、施工に要する手間を低減するとともに、作業時間を短縮することができる。
【００３１】
ポールアダプタ２として、円筒状の筒体２１〜９１のみが並べられて連結されたアダプタ本体２０を有する構成を例示したがこれに限定されず、円筒状の以外の形状の筒体を並べて連結したアダプタ本体の構成でもよい。例えば図３Ａに示すように、３個の円筒状の筒体４０１〜４０３と、円錐台形状の筒体４０４とを並べて連結したアダプタ本体４２０の構成でもよい。
【００３２】
また、下から上に行くに連れて、内径が連続的に小さくなる円錐台形状の固定部に対応して、図３Ｂに示すように、下から上に行くに連れて外径が連続的に小さくなる円錐台形状の筒体５２１〜５２８が連結されたアダプタ本体５２０の構成でもよい。
【００３３】
また、ポールアダプタ２として、下から上に行くに連れて、内径の寸法が段階的に小さくなるアダプタ本体２０の構成を例示したが、これに限定されない。例えば図３Ｂに示すように円錐台状の筒体５２１〜５２８を連結して形成され、下から上に行くに連れて、内径の寸法が連続的に小さくなるアダプタ本体５２０の構成でもよい。また、ポール１のポール小径部１２の外径の形状や、照明器具３の固定部１３１の内径の形状に応じて、アダプタ本体の外径や内径の形状を変更してもよい。
【００３４】
また、ポール小径部１２の外径に筒体２１〜９１を差し込むとともに、固定部１３１の内径に筒体２１〜９１を差し込んで、ポール１と照明器具３とを接続するポールアダプタ２の構成を例示したが、これに限定されない。例えばポールに筒体２１〜９１を差し込むとともに、筒体２１〜９１に照明器具の固定部を差し込んで、ポールと照明器具とを接続するポールアダプタ２の構成でもよい。
【００３５】
上述のように実施形態１に係るポールアダプタ２は、地面に立てられているポール１の上端に取り付けられた状態で、照明器具３を取り付けて、ポール１と照明器具３とを接続する。また、ポールアダプタ２は、互いの外径および内径の寸法が異なる複数の筒体２１〜９１を有するアダプタ本体２０を備えている。アダプタ本体２０は、筒体２１〜９１の軸方向に沿って外径および内径の寸法が大きい順に並べられて連結された複数の筒体２１〜９１で構成されている。また、アダプタ本体２０は、隣り合う前記筒体２１〜９１同士の境目で分割可能に形成されている。
【００３６】
実施形態１に係るポールアダプタ２は上述のように構成されているので、径の異なる複数種類のポール１および照明器具３に対応可能である。
（実施形態２）
本発明の実施形態２に係るポールアダプタ２は、基本的な構成が実施形態１に係るポールアダプタ２と共通であるので、共通の構成要素には、同一の符号を付して説明を省略する。
【００３７】
ポールアダプタ２のアダプタ本体２０の内径は、図５Ａに示すように下から上に行くに連れて、連続的に径が小さくなるように形成されている。また、ポールアダプタ２の各外壁部２２〜９２の側面には、固定孔２３〜９３が形成されていない。
【００３８】
ポールアダプタ２は、図４に示すように結合具２２１、結合具２３１、結合具２４１、結合具２５１、結合具２６１、結合具２７１、結合具２８１および結合具２９１を有する。
【００３９】
結合具２２１は筒体２１の内側に、結合具２３１は筒体３１の内側に、結合具２４１は筒体４１の内側に、結合具２５１は筒体５１の内側に、結合具２６１は筒体６１の内側にそれぞれ収容できるようにそれぞれ構成されている。また、結合具２７１は筒体７１の内側に、結合具２８１は筒体８１の内側に、結合具２９１は筒体９１の内側にそれぞれ収容できるようにそれぞれ構成されている。なお、ポールアダプタ２では、各筒体２１〜９１と、各筒体２１〜９１に収容できる各結合具２２１〜２９１とが、セットとして用いられる。各結合具２２１〜２９１は、図４に示すように上下方向（ポール１の軸方向）から見て略Ｃ字形状に形成されているとともに、図５Ｃおよび図５Ｄに示すようにポール１の径方向（図５の左右方向）から見て台形状に形成されている。各結合具２２１〜２９１は、弾性部材（例えば鋼材）で形成されている。また、各結合具２２１〜２９１は、上端の位置に、小径部２２２、小径部２３２、小径部２４２、小径部２５２、小径部２６２、小径部２７２、小径部２８２および小径部２９２を備える。また、各結合具２２１〜２９１は、下端の位置に、大径部２２３、大径部２３３、大径部２４３、大径部２５３、大径部２６３、大径部２７３、大径部２８３および大径部２９３を備える。
【００４０】
各結合具２２１〜２９１は、各小径部２２２〜２９２の外径寸法Ｌ１が、各筒体２１〜９１の内径の寸法よりも小さくなるとともに、各小径部２２２〜２９２の内径寸法Ｌ２が、ポール小径部１２の外径よりも小さくなるように形成されている。また、各結合具２２１〜２９１は、各大径部２２３〜２９３の外径寸法Ｌ３が、各筒体２１〜９１の内径の寸法よりも大きくなるとともに、各大径部２２３〜２９３の内径寸法Ｌ４が、ポール小径部１２の上端の外径よりも大きくなるように形成されている。そして、各結合具２２１〜２９１は、各小径部２２２〜２９２から各大径部２２３〜２９３に向かって、連続的に外径および内径が大きくなるように構成されている。
【００４１】
次に、ポールアダプタ２を介して、ポール１と照明器具３とを接続する手順について説明する。
【００４２】
最初に、作業者は、図５Ａに示すようにポールアダプタ２の筒体２１〜９１の中から、内径の寸法がポール小径部１２の外径の寸法よりも大きい筒体２１，３１のうち最小の筒体を第１の筒体３１として選択する。そして、作業者は、図５Ｂに示すようにのこぎり１５０等を用いて、アダプタ本体２０を連結体２０１に沿って切断して、アダプタ本体２０から、筒体３１よりも下側の１個の筒体２１を取り除く。
【００４３】
次に、作業者は、図５Ｃに示すように第１の筒体３１とセットとして用いられる結合具２３１をポール小径部１２に差し込む。結合具２３１が下方に向けて差し込まれるに連れて、ポール小径部１２の外周面により、結合具２３１がポール１の径方向外側に押されて弾性変形する。そして、結合具２３１の下端がポール本体１１の上端に当接すると、ポール小径部１２に対する結合具２３１の取り付けが終了する。
【００４４】
次に、作業者は、図５Ｃに示すように結合具２３１が差し込まれた状態のポール小径部１２の上端にアダプタ本体２０を乗せた後に、ハンマー２５０等を用いてアダプタ本体２０を上から叩く。アダプタ本体２０が上から叩かれると、外壁部３２の内面により結合具２３１がポール１の径方向内側に押されて弾性変形する。そして、さらに、アダプタ本体２０が上から叩かれると、下方に移動したアダプタ本体２０の筒体３１に、結合具２３１が収容されて、ポール小径部１２に対するアダプタ本体２０の取り付けが終了する。
【００４５】
ポール小径部１２にアダプタ本体２０が取り付けられた状態では、結合具２３１が復元して、ポール１の径方向に対して、外壁部３２の内周面を外側に付勢するとともに、ポール小径部１２の外周面を内側に付勢する。よって、結合具２３１により、ポール小径部１２とアダプタ本体２０の筒体３１とを固定することができる。
【００４６】
したがって、ポールアダプタ２では、螺子を用いなくても、結合具２３１が差し込まれた状態のポール小径部１２にアダプタ本体２０を叩き込むことで、ポール１にポールアダプタ２を取り付けことができ、取り付け作業を簡素化することができる。
【００４７】
また、ポールアダプタ２では、アダプタ本体２０の各外壁部２２〜９２に対して、螺子１４１を挿通させる固定孔２３〜９３を形成する必要が無い。したがって、固定孔２３〜９３が形成されない分、アダプタ本体２０の強度を向上させることができる。よって、実施形態２に係るポールアダプタ２は、実施形態１に係るポールアダプタ２に比べて、より利便性を向上することができる。
【００４８】
上述のように実施形態２に係るポールアダプタ２は、ポール１の上端とアダプタ本体２０との間に配置され、かつ、弾性部材で形成された結合具２２１〜２９１を備えることが好ましい。結合具２２１〜２９１は、ポール１の軸方向から見て略Ｃ字形状に形成されているとともに、ポール１の径方向から見て台形状に形成されていることが好ましい。また、結合具２２１〜２９１は、ポール１の径方向において、外周面の幅寸法の最小値が、複数の筒体２１〜９１のうちでポール１と接続される第１の筒体３１の内径の寸法よりも小さくなるように構成されていることが好ましい。また、結合具２２１〜２９１は、ポール１の径方向において、外周面の幅寸法の最大値が、第１の筒体３１の内径の寸法よりも大きくなるように構成されていることが好ましい。さらに、結合具２２１〜２９１は、ポール１の径方向において、内周面の幅寸法の最小値が、ポール１の上端の外径よりも小さく、かつ、内周面の幅寸法の最大値が、ポール１の上端の外径よりも大きくなるように構成されていることが好ましい。
【００４９】
実施形態２に係るポールアダプタ２が上述のように構成されれば、螺子を用いなくても、ポール１にポールアダプタ２を取り付けことができる。したがって、アダプタ本体２０の各外壁部２２〜９２に、螺子１４１を挿通させる固定孔２３〜９３を形成せずに済む。よって、固定孔２３〜９３が形成されない分、アダプタ本体２０の強度の低減を抑えることができる。したがって、実施形態２に係るポールアダプタ２は、実施形態１に係るポールアダプタ２に比べて、より利便性を向上することができる。
【符号の説明】
【００５０】
１  ポール
２  ポールアダプタ
３  照明器具
２０  アダプタ本体
２１〜９１  複数の筒体
３１  第１の筒体
２２１〜２９１  結合具
【図１】
2017107723.tif 000003
【図２】
2017107723.tif 000004
【図３】
2017107723.tif 000005
【図４】
2017107723.tif 000006
【図５】
2017107723.tif 000007
【図６】
2017107723.tif 000008